(57)【特許請求の範囲】
【請求項１】
カメラに取り付け可能なシャッターレリーズ用アダプタにおいて、
アダプタ本体上に取り付けられたシャッターレリーズ操作用のアダプタ側レリーズボタンと、
前記アダプタ側レリーズボタンに加わった外力をカメラ本体のカメラ側レリーズボタンに伝達する伝達部材とを備え、
前記アダプタ側レリーズボタンが、前記カメラ本体において前記カメラ側レリーズボタンが配置されている面と反対側の面に配置され、
前記アダプタ側レリーズボタンの押圧操作方向が、前記カメラ側レリーズボタンの押圧操作方向に対して略反対方向であることを特徴とするシャッターレリーズ用アダプタ。
【請求項２】
前記伝達部材が、
内部に流体の導通路が形成され、前記アダプタ側レリーズボタン近傍から前記カメラ側レリーズボタン近傍まで延びた流体導通部材と、
前記カメラ側レリーズボタンに当接し、前記流体の流入によって、前記カメラ側レリーズボタンがある方向に変形するレリーズボタン押圧部と、を備えることを特徴とする請求項１に記載のシャッターレリーズ用アダプタ。
【請求項３】
前記レリーズボタン押圧部が、前記導通路の端部に設けられていることを特徴とする請求項２に記載のシャッターレリーズ用アダプタ。
【請求項４】
前記アダプタ本体が略コの字形状を有し、前記カメラ側レリーズボタンの近傍に、前記カメラ本体を挟持する状態で取り付けられることを特徴とする請求項１乃至３に記載のシャッターレリーズ用アダプタ。
【請求項５】
前記アダプタ本体が、複数のグリップ部を有し、
前記略コの字形状と前記複数のグリップ部とにより、カメラ本体に対して５方向で位置決めされることを特徴とする請求項４に記載のシャッターレリーズ用アダプタ。
【請求項６】
前記アダプタ本体にストラップ取付用孔が形成されていることを特徴とする請求項１乃至５に記載のシャッターレリーズ用アダプタ。
【請求項７】
前記ストラップ取付用孔が、カメラ本体に形成されたストラップ取付用孔に対向した位置に形成されていることを特徴とする請求項６に記載のシャッターレリーズ用アダプタ。
【請求項８】
前記アダプタ側レリーズボタンを複数備えることを特徴とする請求項１乃至７に記載のシャッターレリーズ用アダプタ。
【請求項９】
前記複数のアダプタ側レリーズボタンの内の一つが、前記カメラ側レリーズボタンの近傍に配置され、前記カメラ側レリーズボタンの押圧操作方向と略同じ向きに押圧操作することによって、前記カメラ側レリーズボタンを押圧操作できるように構成したことを特徴とする請求項８に記載のシャッターレリーズ用アダプタ。
【請求項１０】
前記カメラ側レリーズボタンの近傍に配置されるアダプタ側レリーズボタンの面積よりも、他のアダプタ側レリーズボタンの面積を大きくしたことを特徴とする請求項９に記載のシャッターレリーズ用アダプタ。
【発明の詳細な説明】
【０００１】
【発明の属する技術分野】
本発明は銀塩カメラ、デジタルスチルカメラ、レンズ付フィルム等に取り付け可能なシャッターレリーズアダプタに係り、特に撮影者がカメラのシャッターレリーズ操作を左手でも容易に行わせることができるシャッターレリーズアダプタに関する。
【０００２】
【従来の技術】
従来、銀塩カメラ、デジタルスチルカメラ、レンズ付フィルム等において（以下、これらを単にカメラという）、撮影時にシャッターを切るためのシャッターレリーズ操作（以下、単にレリーズと称する場合もある）は、カメラ本体に配置されているレリーズボタンを、直接、指で押圧操作するか、その他では、カメラ本体に取り付けられるレリーズ用のケーブルやリモコン等を使って操作している。
【０００３】
しかしながら、ケーブルレリーズはカメラが三脚等で固定されているような場合に使用するのは便利であるが、気軽にスナップ写真等を撮影しようとする場合、わざわざケーブルを取り付けるのは面倒であるし、またリモコンの使用は、記念撮影等において撮影者自らが被写体となるような場合に遠隔操作できる点で便利ではあるが、他の被写体を撮影する時に片手でカメラを保持しファインダーで被写体を確認しながら、もう一方の手でリモコンを操作するのは非常に煩わしい。
【０００４】
それ故、ユーザーが撮影を行う時にはカメラ本体に配置されているシャッターレリーズボタンを押圧操作する場合が圧倒的に多い。
【０００５】
【発明が解決しようとする課題】
ところで、従来のカメラにおいて配置されているシャッターレリーズボタンはレンズ正面から見てカメラ本体の上面左側に設けられていることが多い。
【０００６】
これは、右利きの人が右手でカメラ本体を保持し、そのままレリーズ操作を行うことが多いことに起因している。
【０００７】
しかし、このような位置にレリーズボタンが配置されていると、左利きのユーザーが左手でカメラを保持しレリーズ操作を行おうとした場合には非常に不便であり、特に右手が不自由なユーザーは、左手でカメラ本体を保持すると共にレリーズ操作も左手で行わざるを得ない。
【０００８】
従来のカメラを使って左手のみで撮影するためには、カメラ本体を上下反転させた状態にし、左手でカメラを保持し、左手でレリーズ操作を行うことになるが、この場合、レリーズボタンはカメラ本体の下面に位置することになるので、レリーズ操作は左手の親指で押し上げるようにしなければならず、非常に操作しずらいばかりか、カメラ背面からカメラ本体を保持していた親指をレリーズ操作時にはカメラ本体から離さなければならず手ぶれが発生しやすいという問題もあった。
【０００９】
この問題を解決するためには、左手でレリーズ操作しやすいようにレンズ正面から見てカメラ本体の上面右側にレリーズボタンを配置すれば良いが、左手レリーズ用のカメラを製造するために新たに金型等の費用が発生し、カメラのコストアップにつながって好ましくない。
【００１０】
また、右手でも左手でもレリーズ操作しやすいように、レンズ正面から見てカメラ本体の上面左側と上面右側の両方にレリーズボタンを配置すれば新たに金型を作る必要はなくなるが、レリーズ操作のための部品が増えることになって、やはりコスト的に好ましくない上に、例えば２つのレリーズボタンが同時に操作された場合の信号処理アルゴリズムを開発しなければならない等、レリーズ操作に関する電気信号の処理が複雑になって誤動作や故障が増大する可能性が高くなる。
【００１１】
しかも、フィルムの自動巻き上げ機構がついていないカメラの場合、一般にフィルムの巻き上げノブは一般にカメラ背面から見て右上方に配置されている。そのため、上記のような誤動作等の問題をクリアしてレリーズボタンをカメラの上面左側と上面右側の両方に配置しても、カメラ背面右上方に配置されている巻き上げノブの巻き上げ操作は、左手のみで操作をしようとしているユーザにとって極めて困難なものであり、またフィルムの巻き上げノブは、レリーズボタンと違って左右両方に配置することもできないために、結局、レリーズ操作を含む撮影操作を全て左手のみで行うことは困難なものであった。
【００１２】
そこで本発明の目的は、カメラ本体の構成を変更することなく、特に左手でのレリーズ操作を容易
とするカメラのシャッターレリーズ用アダプタを提供することにある。
【００１３】
【課題を解決するための手段】
上記課題を解決して目的を達成するため、本発明に係るシャッターレリーズ用アダプタは、カメラに取り付け可能なシャッターレリーズ用アダプタにおいて、アダプタ本体上に取り付けられたシャッターレリーズ操作用のアダプタ側レリーズボタンと、前記アダプタ側レリーズボタンに加わった外力をカメラ本体のカメラ側レリーズボタンに伝達する伝達部材とを備え、前記アダプタ側レリーズボタンが、前記カメラ本体において前記カメラ側レリーズボタンが配置されている面と反対側の面に配置され、前記アダプタ側レリーズボタンの押圧操作方向が、前記カメラ側レリーズボタンの押圧操作方向に対して略反対方向であることを特徴とする。
【００１５】
更に、本発明に係るシャッターレリーズ用アダプタは、前記伝達部材が、内部に流体の導通路が形成され、前記アダプタ側レリーズボタン近傍から前記カメラ側レリーズボタン近傍まで延びた流体導通部材と、前記カメラ側レリーズボタンに当接し、前記流体の流入によって、前記カメラ側レリーズボタンがある方向に変形するレリーズボタン押圧部と、を備えることを特徴とする。
【００１６】
更に、本発明に係るシャッターレリーズ用アダプタは、前記レリーズボタン押圧部が、前記導通路の端部に設けられていることを特徴とする。
【００１８】
更に、本発明に係るシャッターレリーズ用アダプタは、前記アダプタ本体が略コの字形状を有し、前記カメラ側レリーズボタンの近傍に、前記カメラ本体を挟持する状態で取り付けられ、アダプタ本体が、複数のグリップ部を有し、略コの字形状と複数のグリップ部とにより、カメラ本体に対して５方向で位置決めされることを特徴とする。
【００１９】
更に、本発明に係るシャッターレリーズ用アダプタは、アダプタ本体にストラップ取付用孔が形成されていることを特徴とする。
【００２０】
更に、本発明に係るシャッターレリーズ用アダプタは、前記ストラップ取付用孔が、カメラ本体に形成されたストラップ取付用孔に対向した位置に形成されていることを特徴とする。
【００２１】
更に、本発明に係るシャッターレリーズ用アダプタは、前記アダプタ側レリーズボタンを複数備えることを特徴とする。
【００２２】
更に、本発明に係るシャッターレリーズ用アダプタは、前記複数のアダプタ側レリーズボタンの内の一つが、前記カメラレリーズボタンの近傍に配置され、前記カメラレリーズボタンの押圧操作方向と略同じ向きに押圧操作することによって、前記カメラレリーズボタンを押圧操作できるように構成したことを特徴とする。
【００２３】
更に、本発明に係るシャッターレリーズ用アダプタは、前記カメラレリーズボタンの近傍に配置されるアダプタ側レリーズボタンの面積よりも、他のアダプタ側レリーズボタンの面積を大きくしたことを特徴とする。
【００２４】
【発明の実施の形態】
以下、本発明の実施の形態を図面を参照しつつ説明する。
【００２５】
図１〜図６は第１の実施形態を示す図である。
【００２６】
図１の斜視図、及び、図２の分解図に示されるように、第１の実施形態に係るシャッターレリーズ用アダプタは、大きく分けて、本体部１０と押しボタン２１ａ，２１ｂと流体封入部材３０とで構成されている。
【００２７】
本体部１０は、本体基部１１とアーム部１２とグリップ部１３とホルダ部１４とから構成されており、本実施形態においては、これらは全て、製造工程を減らし製造コストを低減するために、合成樹脂（プラスチック）により一体成形されている。なお、成形が難しい部位については別途成形し、後に取り付けて組み立てるようにしても良い。
【００２８】
本体基部１１の上下端部からは、それぞれアーム部１２ａ，１２ｂが、本体基部１１に対してほぼ垂直方向に延びており、各アーム部の先端には、後述する押しボタン２１等が取り付けられるホルダ部１４ａ，１４ｂが形成されている。
【００２９】
本体基部１１とアーム部１２ａ，１２ｂは、側方から見ると図３（Ａ）や図５に示されるように略コの字形状に構成されており、アダプタをカメラ５０に取り付ける際には、アーム部１２ａ，１２ｂでカメラ５０の本体を挟持するようにして取り付けられる。
【００３０】
そのためにアーム部１２ａ，１２ｂ間の距離は、取り付けられるカメラ５０の高さ（図５における上下方向の長さ）よりも若干狭くしておき、カメラ５０に取り付ける際にアーム部１２ａ，１２ｂを広げるようにして取り付けを行い、取り付け後は、アーム部１２ａ，１２ｂの挟持力でカメラ５０への取り付けが保持されるように構成することが望ましい。
【００３１】
本体基部１１の中央付近には、アダプタをカメラ５０に取り付けた時にカメラ５０のグリップとして機能するグリップ部１３ａ，１３ｂが設けられており、グリップ感を向上させるために若干湾曲した形状となっている。
【００３２】
グリップ部１３ａ，１３ｂの表面には、必要に応じて、グリップの際の滑り止めとして機能する凹凸部や、滑り止めラバー等が貼付されていても良い。
【００３３】
なお、グリップ部１３ａ，１３ｂは上述した本発明の目的からすると必ずしも必要なものではないが、本実施形態においては、図４に示されるように、グリップ部１３ａ，１３ｂによってもカメラ５０を挟持するようにしている。
【００３４】
これによりアダプタはカメラ５０に対して５方向から位置決めされてずれにくくなり、またカメラ５０からアダプタが簡単に外れることも防止されている。それ故、グリップ部１３は設けられている方が好ましい。
【００３５】
この場合、上述したアーム部１２の場合と同様に、グリップ部１３ａ，１３ｂ間の距離は、取り付けるカメラ５０の幅（図４における上下方向の長さ）よりも若干狭くしておくことが好ましい。
【００３６】
またグリップ部１３ｂには幾つか開口部１６が設けられており、この開口部１６によって、グリップ部１３ｂの剛性が低くなっており、カメラ５０への取付けが容易となっている。
【００３７】
図２における符号２１ａ，２１ｂは、本発明においてアダプタ側レリーズボタンとして機能する押しボタンであり、図示されているように２つのホルダ部１４ａ，１４ｂに対してそれぞれ内側から嵌挿され、ホルダ部１４ａ，１４ｂの開口部から押しボタン２１ａ，２１ｂの一部のみが突出或いは露出し、押しボタン２１ａ，２１ｂの残りの部分は開口部を通過できない構成になっている。
【００３８】
符号３０は本発明において伝達部材として機能する流体封入部材であり、押圧部３１ａ，３１ｂと導通部３２とによって構成されている。
【００３９】
押圧部３１ａ，３１ｂは、本発明においてレリーズボタン押圧部として機能しており、内部に流体が流入すると少なくとも高さ方向（図３（Ａ）における上下方向）に変形するように構成されたものである。その構成の一例としては、押圧部３１を膨張可能なゴム製の袋状部材か、或いはポリプロピレン、ポリエチレン、ポリエステル、ポリウレタン等のポリマー樹脂で作られた袋状部材とし、内部に流体の流入量が増えることによって高さ方向に膨らむように調整することによって構成することが可能である。
【００４０】
本実施形態においては耐衝撃性能が優れていることからポリウレタン製樹脂を用いて袋状部材を構成した。
【００４１】
押圧部３１ａ，３１ｂは、内部に流体が導通する導通路を備えた導通部３２によって連結され、押圧部３１ａ，３１ｂ内の流体は互いに導通部３２を介してつながっており、一方の押圧部に加えた圧力が他方の押圧部に均等に伝わるようになっている。
【００４２】
本発明において導通部３２は流体導通部材として機能している。
【００４３】
流体封入部材３０は、導通部３２を合成樹脂で成形し、別途、ゴム等で成形した押圧部３１と接着等を行い、組み合わせて構成しても良いが、本実施形態では、押圧部３１と導通部３２とをポリウレタン製樹脂で一体成形し、内部に適当量の流体を封入した後に封止して構成した。
【００４４】
この場合、押圧部３１と導通部３２とで樹脂の厚みを変えることが望ましく、押圧部３１は変形し易いように薄くし、導通部３２では圧力が加わっても変形しにくいように厚くしておくことが望ましい。
【００４５】
なお、本実施形態においては、流体としてオイルを用いているが、水などの他の液体を用いてもよく、またゲル状の粘性体を用いることも可能である。
【００４６】
流体封入部材３０は本体部１０に取り付けられる。
【００４７】
本体基部１１には導通部３２が嵌挿される収容溝１５が形成されており、導通部３２は収容溝１５に嵌装される。嵌装した後に収容溝１５から導通部３２が外れないように、導通部３２を収容部１５に対して接着しておくことが望ましい。
【００４８】
一方、押圧部３１ａ，３１ｂは、各々、押しボタン２１ａ，２１ｂが嵌装された後のホルダ部１４ａ，１４ｂに内側から嵌挿され、各々、押しボタン２１ａ，２１ｂに当接された状態でホルダ部１４ａ，１４ｂに対して取り付けられる。
【００４９】
図３は、このようにして構成されたアダプタの断面図であり、（Ａ）は側方から、（Ｂ）は上方から見たものである。また図４はアダプタをカメラ５０に取り付けた時の上面図である。
【００５０】
図示されるように、本体基部１１とアーム部１２ａ，１２ｂは略コの字形状となっており、アーム部１２ａ，１２ｂでカメラ５０を挟持するようになっており、この挟持によってアダプタはカメラ５０に対する上下方向の位置決めと、取り付けの保持が行われている。またグリップ部１３ａ，１３ｂによってもカメラ５０を挟持しており、この挟持によってアダプタはカメラ５０に対する光軸方向の位置決めと、取り付け保持力の補強が行われている。
【００５１】
図５は、アダプタをカメラ５０に取り付けた時の正面図である。
【００５２】
この状態においては、ユーザーは右手でグリップ部１３をグリップすることによりカメラ５０を保持するとともに、右手の人差し指で押しボタン２１ａを押圧操作する。
【００５３】
すなわち、ユーザーは押しボタン２１ａを押圧すると、その押圧力が押圧部３１ａに伝えられ、この時に発生した圧力によって押圧部３１ａの下面が下方に変形する。この変形によりカメラ５０のシャッターレリーズボタンが押下されて撮影が行われる。
【００５４】
つまり右手でレリーズ操作を行うユーザーにとっては、アダプタを取り付けた状態であっても、通常のレリーズ操作と同様の操作でレリーズを行うことができる。
【００５５】
図６は、ユーザーが左手で操作する時の状態を示す正面図である。
【００５６】
図示されるように、左手で操作する場合は、カメラ本体を上下反転させた状態にし、左手でカメラを保持し、左手でレリーズ操作を行う。
【００５７】
この状態においては、ユーザーは左手でグリップ部１３をグリップすることによりカメラ５０を保持するとともに、左手の人差し指で押しボタン２１ｂを押圧操作する。
【００５８】
ユーザーが押しボタン２１ｂを押圧すると、その押圧力が押圧部３１ｂに伝えられ、この時に発生した圧力が導通部３２を通して押圧部３１ａに伝達される。この圧力によって押圧部３１ａは上下方向に変形しようとするが、前述したように押しボタン２１ａはホルダ部１４ａによって図中の下方向への移動が制限されているため、押圧部３１ａの変形は専ら図中の上方向のみとなり、この変形によりカメラ５０のシャッターレリーズボタンが押下されて撮影が行われる。
【００５９】
また、図示されるように、この状態においては、カメラ本体５０のファインダはカメラ本体の下方側に位置している。従来、一部のユーザからファインダを右目もしくは左目で覗いた時に鼻がカメラ５０の背面に当たって煩わしいといった声があったが、本発明のアダプタによれば、この問題を解決することも可能である。
【００６０】
すなわち、鼻がカメラの背面に当たって煩わしいと感じるユーザは、本発明のアダプタをカメラ５０に取り付けて左手で押しボタン２１ｂを押圧操作するようにすれば、鼻がカメラの背面に当たることも無くなる。つまり同図の状態は左手でレリーズ操作するユーザのみを対象としたものではなく、本発明は右手、左手のどちらで操作する場合にもメリットがある。
【００６１】
また、レンズ付フィルム等のようにフィルムの巻き上げ機構がついていないカメラの場合、巻き上げノブは一般にカメラ背面から見て右上方に配置されているため、同図の状態では、カメラ背面から見て左下方に配置されることになる。それ故、本ユーザは左手の親指でフィルムの巻き上げ操作を行うことができるようになるため、全ての撮影操作を左手のみで行うことが可能である。
【００６２】
更に、同図から明らかなように、本実施例においては、押しボタン２１ａや押圧部３１ａに比べ、押しボタン２１ｂや押圧部３１ｂの面積を大きくしている。これにより押しボタン２１ｂを押圧操作した時の押し下げ距離に比べて、押圧部３１ａの上下方向の変形量を大きくすることができ、より確実にカメラ本体５０のレリーズボタン５１を操作を行うことができるようになる。
【００６３】
図７〜図８は第２の実施形態を示す図である。
【００６４】
図７（Ａ）は第２の実施形態に係るアダプタの斜視図であり、（Ｂ）は背面下方から見た時の斜視図である。
【００６５】
図中、第１の実施形態と同じ機能を担う部材や部位には同じ符号を付与した。同一符号が付されている部材や部位の機能は、第１の実施形態のものと同様であり、説明が重複するので省略する。
【００６６】
符号１７は、本体部１０の表面に形成された溝部であり、ユーザーがカメラ５０をグリップ部１３でグリップすることによりカメラ５０を保持するとともに、この溝部１７に指をかけてレリーズ押圧操作を行うようにしたものである。
【００６７】
ユーザはこの溝部１７に指をかけてカメラ５０を保持するので、自ずからカメラ５０を保持する手の位置や形が或る程度定まるので、カメラ５０が安定して保持され手ぶれの問題が解消される他、デザイン的にも美観が生まれ、好ましい。
【００６８】
符号１８はストラップ取付用孔である。
【００６９】
カメラにストラップを取り付けて、ストラップを手に持ってカメラを持ち運ぶユーザも多いが、例えばレンズ付フィルム等において、カメラ本体にストラップ取付用孔が設けられていないような場合には、カメラにストラップを取り付けることは容易ではない。
【００７０】
そこで、ストラップ取付用孔１８にストラップを取り付けた後、アダプタをカメラ５０に取り付けることによって、ストラップを持ってカメラを持ち運ぶことが可能となる。
【００７１】
また、カメラ本体にストラップ取付用孔が形成されている場合には、ストラップ取付用孔１８はカメラのストラップ取付用孔に対向した位置に形成しておくことが望ましい。
【００７２】
ストラップを持ってカメラを持ち運ぶ際、アダプタのみにストラップがかけられていると、万一、アダプタがカメラから外れた時にはカメラの落下事故が発生する。
【００７３】
ストラップ取付孔１８が、カメラ本体に形成されているストラップ取付用孔に対向した位置に形成されていることにより、ストラップをストラップ取付孔１８を通してカメラ本体のストラップ取付用孔に取り付けることができ、これにより上述の事故を未然に防ぐことができる。
【００７４】
なお、ストラップ取付用孔１８が形成されたことにより、第２の実施形態において流体封入部材３０は図８のように構成している。
【００７５】
図８（Ａ）はこのアダプタに用いられる流体封入部材の斜視図であり、（Ｂ）はアダプタを上方から見た時の断面図である。
【００７６】
図から明らかなように、流体封入部材３０はストラップ取付用孔１８を避けた位置に導通部３２を配置した。
【００７７】
以上、本発明の実施形態について説明したが、本発明は必ずしもこれに限定されない。
【００７８】
上記実施形態においては、右手でも左手でもレリーズ押圧操作が可能であるよう、押しボタンを２つ設けている。これにより右利きのユーザーと左利きのユーザーとの間でカメラの貸し借り等を行うような場合でも、レリーズ操作を容易とすることができる。
【００７９】
しかしながら本発明は必ずしもこれに限定される必要はなく、例えば右手用の押しボタン２１ａを省略することによって左手用のアダプタとしても差し支えない。この場合、部品点数を少なくできるため、コストダウンに寄与することができる。
【００８０】
また、押しボタン２１の数を２つより多くしても良く、多数さまざまな位置に配置しておけば、手の大きさ等の個人差に伴う使い難さを改善することが可能となる。
【００８１】
また、上記実施形態においては、左手用の押しボタン２１ｂをカメラの下側に配置したので、一般的と考えられる、左手の人差し指によるレリーズ押圧操作が容易になった。
【００８２】
しかしながら本発明は必ずしもこれに限定される必要はなく、左手で押圧しやすい位置であればその他の位置に配置することも可能である。すなわち、上述したように左手でレリーズ操作を行う場合、カメラ本体のシャッターレリーズボタン５１を押し上げる方向に押圧することは困難である。従って、左手用の押しボタン２１ｂがこの方向以外の方向に押圧操作できる位置に配置しさえすれば、上述困難性は改善されることになる。例えば左手の中指でレリーズ操作をするユーザーに対しては、カメラ本体の正面側に押しボタン２１ｂを配置した方が使い勝手が良い。
【００８３】
また、上記実施形態においては、伝達部材として流体封入部材を使用したため、簡単な構成でアダプタの重量も軽くすることができ、安価で且つ故障のない構成とすることができ、しかも流体を用いているため瞬時に押圧力が伝達され、シャッタータイミングに関するラグも少ない。
【００８４】
しかしながら本発明は必ずしもこれに限定される必要はなく、リンク機構等のメカニカルな機構を用いてレリーズボタン２１ｂに加わった押圧力を伝達するようにすれば、より確実に押圧力を伝達することができるようになり、また更に必要に応じて電気的駆動源を用いて電気的に押圧力を伝達するようにすれば、レリーズボタン２１ｂに対する押圧力が弱い場合でも、押圧力を伝達することができるようになる。
【００８５】
【発明の効果】
請求項１に記載のシャッターレリーズ用アダプタにより、カメラのレリーズボタンの押圧操作方向と異なる方向に押圧操作することが可能になったため、左手でレリーズボタンを押圧操作するユーザは左手の親指でレリーズボタンを押し上げる必要がなくなり、操作性が向上するとともに、カメラの保持が容易となって手ぶれ等の問題も解決することができた。
また、請求項１に記載のシャッターレリーズ用アダプタにより、カメラのレリーズボタンが配置されている面と反対側の面にレリーズボタンが配置されることになったので、左手でレリーズボタンを押圧操作するユーザは左手人差し指で操作することが容易になった。
【００８６】
さらに、請求項１に記載のシャッターレリーズ用アダプタにより、カメラのレリーズボタンの押圧操作方向に対して略反対方向に押圧操作することが可能になったため、左手でレリーズボタンを押圧操作するユーザは左手の人差し指で操作することが容易となった。
【００８７】
請求項２に記載のシャッターレリーズ用アダプタにより、伝達部材が流体導通部材でレリーズボタンに加わった押圧力を伝達することが可能になったため、簡単な構成でアダプタの重量も軽くすることができ、安価で且つ故障のない構成を得ることができ、また流体を用いたのでシャッタータイミングのラグが少なく、瞬時に押圧力を伝達することが可能となった。
【００８８】
請求項３に記載のシャッターレリーズ用アダプタにより、レリーズボタン押圧部が導通路の端部に設けられることになったので、流体の移動に無駄がなく、レリーズボタンに加わった押圧力を余すところ無く伝達することができた。
【００９０】
請求項４に記載のシャッターレリーズ用アダプタにより、アダプタ本体が略コの字形状を有し、カメラ側レリーズボタンの近傍にカメラ本体を挟持する状態で取り付けられることになったので、レリーズ操作に伴う上下方向の位置ずれを防止することができた。
また、請求項５に記載のシャッターレリーズ用アダプタにより、アダプタがカメラに対して５方向から位置決めされるので、ずれにくく、かつ、カメラから簡単に外れなくなった。
【００９１】
請求項６に記載のシャッターレリーズ用アダプタにより、アダプタ本体にストラップ取付用孔が形成されているので、ストラップ取付用孔が形成されていないカメラに対しても、アダプタにストラップを取り付けてカメラを持ち運ぶことが可能となった。
【００９２】
請求項７に記載のシャッターレリーズ用アダプタにより、ストラップ取付用孔が、カメラ本体に形成されたストラップ取付用孔に対向した位置に形成されたので、ストラップ取付用孔が形成されているカメラに対しては、カメラのストラップ取付用孔にストラップを取り付けることができ、万一アダプタが外れた場合のカメラ落下事故を未然に防止することができる。
【００９３】
請求項８に記載のシャッターレリーズ用アダプタにより、アダプタ側レリーズボタンが複数備えられることになったので、右利き、左利き、手の大きさ等々の個人差によらず、レリーズ操作が容易となった。
【００９４】
請求項９に記載のシャッターレリーズ用アダプタにより、アダプタを付けたまま、通常のレリーズ操作と同様に撮影することができ、右利きのユーザにとっても違和感なく撮影することが可能となった。
【００９５】
請求項１０に記載のシャッターレリーズ用アダプタにより、左手でレリーズ操作した時に、カメラレリーズボタンを押圧するためのストロークが長くなるので、確実なレリーズ操作を実現することができた。
【図面の簡単な説明】
【図１】本発明の第１の実施形態に係るシャッターレリーズ用アダプタを示す斜視図である。
【図２】本発明の第１の実施形態に係るシャッターレリーズ用アダプタの分解斜視図である。
【図３】（Ａ）は本発明の第１の実施形態に係るシャッターレリーズ用アダプタを側方から見た時の断面図であり、（Ｂ）は上方から見た時の断面図である。
【図４】本発明の第１の実施形態に係るシャッターレリーズ用アダプタをカメラに取り付けた時の上方から見た図である。
【図５】本発明の第１の実施形態に係るシャッターレリーズ用アダプタをカメラに取り付けた時の正面から見た図であり、右手でレリーズ操作する場合の使用状態を示す図である。
【図６】本発明の第１の実施形態に係るシャッターレリーズ用アダプタをカメラに取り付けた時の正面から見た図であり、左手でレリーズ操作する場合の使用状態を示す図である。
【図７】（Ａ）は本発明の第２の実施形態に係るシャッターレリーズ用アダプタを示す斜視図であり、（Ｂ）は背面下方から見た時の斜視図である。
【図８】（Ａ）は本発明の第２の実施形態に係るシャッターレリーズ用アダプタに用いられる流体封入部材の斜視図であり、（Ｂ）はシャッターレリーズ用アダプタを上方から見た時の断面図である。
【符号の説明】
１０  本体部
１１  本体基部
１２  アーム部
１３  グリップ部
１４  ホルダ部
１５  収容溝
１６  開口部
１７  溝部
１８  ストラップ取付用孔
２１  押しボタン
３０  流体封入部材
３１  押圧部
３２  導通部
５０  カメラ
５１  シャッターレリーズボタン
【図１】
0003637486.tif 000002
【図２】
0003637486.tif 000003
【図３】
0003637486.tif 000004
【図４】
0003637486.tif 000005
【図５】
0003637486.tif 000006
【図６】
0003637486.tif 000007
【図７】
0003637486.tif 000008
【図８】
0003637486.tif 000009